(57)【特許請求の範囲】
【請求項１】
複数台の計量機に接続され、各計量機からの商品販売を制御する機能と、入力器からの商品販売を制御する機能と、商品販売データを送信する機能とを有するものとして、
タッチキー付きの表示器と、キーボードと、カードリーダと、バーコードリーダと、プリンタと、レジボックスが設けられ、表示器は計量機管理表示部と販売管理表示部に区画され、
計量機から信号線を介して送られてくる給油要求信号を受けて計量機管理表示部に給油要求表示をし、給油要求表示された計量機管理表示部のタッチキーの押圧信号を受けて給油許可信号を計量機へ出力し、計量機から給油データを受けて計量機管理表示部に給油終了表示をし、給油終了表示された計量機管理表示部のタッチキーの押圧信号を受けて伝票発行信号をプリンタへ出力し、この売上データを商品販売データ記憶部に記憶して管理し、
また、キーボード又はバーコードリーダからの商品販売信号を販売管理表示部に表示し、キーボードの発行キーの押圧信号を受けて伝票発行信号をプリンタへ出力し、この売上データを商品販売データ記憶部に記憶して管理し、
さらに、カードリーダで読まれたカードデータと共に売上データを商品販売データ記憶部に記憶して管理し、
また、給油所の本部のコンピュータより通信回線を介して送られてくる送信信号を受けて、商品販売データ記憶部に記憶されている商品販売データを出力することを特徴とした給油所用の販売管理装置。
【発明の詳細な説明】
【０００１】
【発明の属する技術分野】
本発明は、コンビニエンスストアを併設した給油所で使用する、給油所用の販売管理装置に関するものである。
【０００２】
【従来の技術】
近年、コンビニエンスストアを併設して経営の多角化を計っている給油所が増加しつつある。ところで、従来の給油所用の販売管理装置は、計量機の制御及び計量機で給油された給油データの管理を主な目的とされているために、新たに併設されたコンビニエンスストアでの販売管理には使用できず、コンビニエンスストア用の販売管理装置を別個に設置している。そのために、経営が同じであるにも拘わらず商品販売の一元管理ができず、販売管理装置が二台設置されて投資コストが嵩んでいた。
【０００３】
【発明が解決しようとする課題】
そこで本発明は、コンビニエンスストアを併設した給油所で、商品販売の一元管理ができ、投資コストが少なくて済むようにした給油所用の販売管理装置を提供することである。
【０００４】
【課題を解決するための手段】
上記目的を達成するために、本発明の給油所用の販売管理装置は、複数台の計量機に接続され、各計量機からの商品販売を制御する機能と、入力器からの商品販売を制御する機能と、商品販売データを送信する機能とを有するものとして、タッチキー付きの表示器と、キーボードと、カードリーダと、バーコードリーダと、プリンタと、レジボックスが設けられ、表示器は計量機管理表示部と販売管理表示部に区画され、計量機から信号線を介して送られてくる給油要求信号を受けて計量機管理表示部に給油要求表示をし、給油要求表示された計量機管理表示部のタッチキーの押圧信号を受けて給油許可信号を計量機へ出力し、計量機から給油データを受けて計量機管理表示部に給油終了表示をし、給油終了表示された計量機管理表示部のタッチキーの押圧信号を受けて伝票発行信号をプリンタへ出力し、この売上データを商品販売データ記憶部に記憶して管理し、また、キーボード又はバーコードリーダからの商品販売信号を販売管理表示部に表示し、キーボードの発行キーの押圧信号を受けて伝票発行信号をプリンタへ出力し、この売上データを商品販売データ記憶部に記憶して管理し、さらに、カードリーダで読まれたカードデータと共に売上データを商品販売データ記憶部に記憶して管理し、また、給油所の本部のコンピュータより通信回線を介して送られてくる送信信号を受けて、商品販売データ記憶部に記憶されている商品販売データを出力することを要旨とするものである。
【０００５】
本発明によれば、複数台の計量機に接続され、各計量機からの商品販売を制御する機能と、入力器からの商品販売を制御する機能と、商品販売データを送信する機能とを有しているので、コンビニエンスストアを併設した給油所で、商品販売の一元管理ができ、投資コストが少なくて済むようになる。
【０００６】
【発明の実施の形態】
以下、本発明の実施の形態を説明する。図１に示すように、各給油所１、１・・・には複数の計量機２が設けられ、各計量機２は管理所３に設けられた販売管理装置４に信号線５で接続されている。この管理所３にはコンビニエンスストア６が併設され、管理所３に設けられた販売管理装置４で精算されるようになっている。そして、給油所１の商品販売データは、給油所１の本部のコンピュータ８から通信回線７を介して送られてきた送信信号を受けて、販売管理装置４からコンピュータ８へ送られ、コンピュータ８は商品販売データを分類し、分類した商品販売データを分類別に通信回線９を介して各センターへ送信する。例えば、石油配送センターのコンピュータ１０から送信信号を受けて石油配送センター向けの商品販売データを出力し、商品発送センターのコンピュータ１１から送信信号を受けて商品発送センター向けの商品販売データを出力し、カードセンターのコンピュータ１２から送信信号を受けてカードセンター向けの商品販売データが出力されるようになっている。そして、各コンピュータ１０、１１、１２からのデータに基づいて、商品の発送又は金銭の決済が行われるようになっている。
【０００７】
図２に示すように、計量機２のケース２１内には、図示しない貯油タンクからの配管２２が配設され、この配管２２にポンプ２３及び流量計２４が介装されている。そして、配管２２には先端に給油ノズル２５が設けられた給油ホース２６が接続され、給油ノズル２５を掛けるノズル掛け２７にノズルスイッチ２８が設けられている。ケース２１内に設けられた給油制御手段２９にはノズルスイッチ２８からの開閉信号、及び流量計２４からの流量信号が入力し、給油制御手段２９からポンプ２３へ駆動信号、及び表示器３０へ給油量表示信号が出力している。
【０００８】
また、給油制御手段２９は、ノズルスイッチ２８から閉信号を受けて表示器３０を帰零し、信号線５を介して給油要求信号を販売管理装置４へ出力し、販売管理装置４から給油許可信号を受けてポンプ２３へ駆動信号を出力し、ノズルスイッチ２８から開信号を受けてポンプ２３の駆動を停止し、給油データを販売管理装置４へ出力するようになっている。
【０００９】
販売管理装置４には、タッチキー４１付きの表示器４２と、キーボード４３と、カードリーダ４４と、バーコードリーダ４５と、プリンタ４６と、レジボックス４７が設けられている。そして、表示器４２は計量機管理表示部４８と販売管理表示部４９に区画されている。
【００１０】
図３に示すように、販売管理装置４の管理制御手段５０は、計量機２から信号線５を介して送られてくる給油要求信号を受けて計量機管理表示部４８に給油要求表示をし、給油要求表示された計量機管理表示部４８のタッチキー４１の押圧信号を受けて給油許可信号を計量機２へ出力し、計量機２から給油データを受けて計量機管理表示部４８に給油終了表示をし、給油終了表示された計量機管理表示部４８のタッチキー４１の押圧信号を受けて伝票発行信号をプリンタ４６へ出力し、この売上データを商品販売データ記憶部５１に記憶して管理する。
【００１１】
また、販売管理装置４の管理制御手段５０は、キーボード４３又はバーコードリーダ４５からの商品販売信号を販売管理表示部４９に表示し、キーボード４３の発行キーの押圧信号を受けて伝票発行信号をプリンタ４６へ出力し、この売上データを商品販売データ記憶部５１に記憶して管理する。
【００１２】
さらに、販売管理装置４の管理制御手段５０は、クレジットカードによる商品販売の場合は、カードリーダ４４で読まれたカードデータと共に売上データを商品販売データ記憶部５１に記憶して管理する。
【００１３】
そして、管理制御手段５０は、給油所１の本部のコンピュータ８より通信回線８を介して送られてくる送信信号を受けて、商品販売データ記憶部５１に記憶されている商品販売データを出力する。この商品販売データはコンピュータ８で、石油配送センター向けの商品販売データと、商品発送センター向けの商品販売データと、カードセンター向けの商品販売データとに分類されて記憶される。
【００１４】
次に、計量機２からの商品販売の場合の動作を説明する。自動車へ給油するために計量機２の給油ノズル２５をノズル掛け２７から外すと、ノズルスイッチ２８より閉信号が給油制御手段２９に伝わり、給油制御手段２９は表示器３０を帰零し、販売管理装置４へ給油要求信号を出力する。計量機２から給油要求信号を受けた販売管理装置４の管理制御手段５０は、計量機管理表示部４８に給油要求表示をする。そして、安全を確認をした管理者が給油要求表示された計量機管理表示部４８のタッチキー４１を押すと、押圧信号が管理制御手段５０に伝わり、押圧信号を受けた管理制御手段５０は給油許可信号を計量機２へ出力する。
【００１５】
販売管理装置４から給油許可信号を受けた計量機２の給油制御手段２９はポンプ２３へ駆動信号を出力し、ポンプ２３が駆動される。そして、給油量は流量計２４で計量され、流量計２４からの流量信号は給油制御手段２９で演算され、給油量は表示器３０に表示される。所望量の給油が終わり、給油ノズル２５をノズル掛け２７に掛けると、ノズルスイッチ２８から開信号が給油制御手段２９へ伝わり、給油制御手段２９はポンプ２３の駆動を停止し、給油データを販売管理装置４へ出力する。
【００１６】
計量機２から給油データを受けた管理制御手段５０は、計量機管理表示部４８に給油終了表示をする。そして、給油を受けた顧客が管理所３へ精算にきて、管理者が給油終了表示された計量機管理表示部４８のタッチキー４１を押すと、押圧信号が管理制御手段５０に伝わり、この押圧信号を受けて管理制御手段５０は伝票発行信号をプリンタ４６へ出力し、プリンタ４６より給油伝票が発行される。この給油伝票に基づいて精算が行われ、現金はレジボックス４７に収納され、この売上データは商品販売データ記憶部５１に記憶して管理される。
【００１７】
コンビニエンスストア６からの商品販売の場合は、販売管理装置４のキーボード４３又はバーコードリーダ４５の入力器から商品販売データを管理制御手段５０へ入力すると、管理制御手段５０は商品販売データを販売管理表示部４９に表示し、キーボード４３の発行キーを押すと、管理制御手段５０は伝票発行信号をプリンタ４６へ出力し、プリンタ４６より販売伝票が発行される。この販売伝票に基づいて精算が行われ、現金はレジボックス４７に収納され、この売上データは商品販売データ記憶部５１に記憶して管理される。
【００１８】
クレジットカードにより商品販売された場合は、販売管理装置４の管理制御手段５０は、カードリーダ４４で読まれたカードデータと共に売上データを商品販売データ記憶部５１に記憶して管理される。
【００１９】
そして、販売管理装置４の管理制御手段５０は、給油所１の本部のコンピュータ８から送信信号を受けて商品販売データ記憶部５１に記憶されている商品販売データを出力する。
【００２０】
コンピュータ８は販売管理装置４からの商品販売データを、石油配送センター向けの商品販売データと、商品発送センター向けの商品販売データと、カードセンター向けの商品販売データとに分類して記憶する。そして、石油配送センターのコンピュータ１０から送信信号を受けて石油配送センター向けの商品販売データを出力し、商品発送センターのコンピュータ１１から送信信号を受けて商品発送センター向けの商品販売データを出力し、カードセンターのコンピュータ１２から送信信号を受けてカードセンター向けの商品販売データを出力する。このようにして各コンピュータ１０、１１、１２へ送られた商品販売データに基づいて、商品の発送又は金銭の決済が行われるようになっている。
【００２１】
【発明の効果】
以上説明したように本発明の給油所用の販売管理装置は、複数台の計量機に接続され、各計量機からの商品販売を制御する機能と、キーボード又はバーコードリーダからの商品販売を制御する機能と、商品販売データを送信する機能とを有しているので、コンビニエンスストアを併設した給油所で、商品販売の一元管理ができ、投資コストが少なくて済むようになる。
【図面の簡単な説明】
【図１】  本発明の給油所用の販売管理装置を実施した全体の構成図である。
【図２】  本発明の給油所用の販売管理装置と計量機の構成図である。
【図３】  本発明の給油所用の販売管理装置のブロック図である。
【符号の説明】
１  給油所
２  計量機
３  管理所
４  販売管理装置
５  信号線
６  コンビニエンスストア
７、９  通信回線
８  給油所の本部のコンピュータ
１０  石油配送センターのコンピュータ
１１  商品発送センターのコンピュータ
１２  カードセンターのコンピュータ
２１  ケース
２２  配管
２３  ポンプ
２４  流量計
２５  給油ノズル
２６  給油ホース
２７  ノズル掛け
２８  ノズルスイッチ
２９  給油制御手段
３０  表示器
４１  タッチキー
４２  表示器
４３  キーボード
４４  カードリーダ
４５  バーコードリーダ
４６  プリンタ
４７  レジボックス
４８  計量機管理表示部
４９  販売管理表示部
５０  管理制御手段
【図１】
0003858377.tif 000002
【図２】
0003858377.tif 000003
【図３】
0003858377.tif 000004